(57)【特許請求の範囲】
【請求項１】
ＬＮＧタンク等の低温貯蔵タンクの屋根部からその底部近傍まで延出し、低温貯蔵タンクの内部に液を受け入れる液受入リード管の下端部に、逆Ｔ字状或いはＬ字状の放出ノズルを形成し、その上部の液受入リード管に、落下する液を規制する抵抗体を形成した低温貯蔵タンクの液受入リード管の振動防止構造において、上記抵抗体が、上記液受入リード管内に断面十字状の十字板を挿入して形成されたことを特徴とする低温貯蔵タンクの液受入リード管の振動防止構造。
【発明の詳細な説明】
【０００１】
【発明の属する技術分野】
本発明は、ＬＮＧタンク等の低温貯蔵タンクの内部に液を受け入れる低温貯蔵タンクの液受入リード管の振動防止構造に係り、液受入リード管に発生する振動を低減若しくは防止することができる低温貯蔵タンクの液受入リード管の振動防止構造に関するものである。
【０００２】
【従来の技術】
図５に示すように、ＬＮＧタンク等の低温貯蔵タンク１の液受入リード管２は、低温貯蔵タンク１の屋根３から懸吊されると共に、低温貯蔵タンク側壁４側の低温貯蔵タンク１内の貯蔵液６を抜き取るポンプバレル８と一体となるようになっている。この液受入リード管２とポンプバレル８とは複数の水平補強材５を介して固定され一体化されており、側壁４と複数の水平補強材９を介して固定されている。この液受入リード管２及びポンプバレル８は共に低温貯蔵タンク１の底部近傍まで延出されており、液受入リード管２の下端部には、受入液を低温貯蔵タンク１内の貯蔵液６内に放出する放出ノズル７が形成され、ポンプバレル８の下端部には、貯蔵液６の吸込口８ａが形成されている。
【０００３】
放出ノズル７は、液受入リード管２の上部から降りてきた受入液のスラスト力を受けて、受入液を水平に噴出させるもので、図６（ａ）に示すように、逆Ｔ字状に形成してスラスト力を左右に相殺するものや、図６（ｂ）に示すように、Ｌ字状に形成されたものが使用される。
【０００４】
一般に、低温貯蔵タンク１内の貯蔵液６は、その上部からＢＯＧ（液化ガス）が放出されるため、その上部の密度が高く層状化を起こしやすいが、液受入リード管２をタンク底部近傍まで延出させ逆Ｔ字状の放出ノズル７で受入液を噴出することで、その受入液の噴流により貯蔵液６を適度に攪拌させることができる。
【０００５】
また、一般に受入液は貯蔵液６に対して比重が軽いため、放出ノズル７から噴出された受入液は下方の貯蔵液６を巻き込みながら液面に向かって上昇することで層状化を防止する。
【０００６】
【発明が解決しようとする課題】
ところで、液受入リード管２内は、低温貯蔵タンク１内の貯蔵液６の液面まで受入液が満たされているが、受入液の受入れを行うに際して、低温貯蔵タンク内の貯蔵液６の液面レベルが高いときは問題はないが、液面レベルが低いときに、受入液を受け入れると、その受入液は落下距離は長くなり、受入液の動圧が問題となる。
【０００７】
この動圧は液受入リード管２の下端部の逆Ｔ字状またはＬ字状の放出ノズル７に直接作用して、液受入リード管２全体を振動させてしまう。
【０００８】
すなわち、低温貯蔵タンク１内の貯蔵液６の液面レベルが低いときには、受入液の落下速度が大きくなり、また、振動の緩衝材となる貯蔵液６が少ないので、液受入リード管２の振動が大きくなってしまい、液受入リード管２の耐久性を劣化させてしまうという問題があった。
【０００９】
そこで、本発明の目的は、上記従来の問題点を解決するために、液受入リード管の振動を可及的に低減若しくは防止し、液受入リード管の耐久性を向上させることができる低温貯蔵タンクの液受入リード管の振動防止構造を提供することである。
【００１０】
【課題を解決するための手段】
前記課題を解決すべく本発明は、ＬＮＧタンク等の低温貯蔵タンクの屋根部からその底部近傍まで延出し、低温貯蔵タンクの内部に液を受け入れる液受入リード管の下端部に、逆Ｔ字状或いはＬ字状の放出ノズルを形成し、その上部の液受入リード管に落下する液を規制する抵抗体を形成した低温貯蔵タンクの液受入リード管の振動防止構造において、上記抵抗体が、上記液受入リード管内に断面十字状の十字板を挿入して形成されたものである。
【００１５】
本発明によれば、液受入リード管に発生する振動を低減することができ、液受入リード管の耐久性を向上させることができる。
【００１６】
【発明の実施の形態】
以下、本発明の実施の形態を添付図面に従って説明する。
【００１７】
本発明に係る低温貯蔵タンクの液受入リード管の全体構成は、図５で説明した通りであり、低温貯蔵タンク１の液受入リード管２は、低温貯蔵タンク１の屋根３から懸吊されると共に、低温貯蔵タンク側壁４側の低温貯蔵タンク１内の貯蔵液６を抜き取るポンプバレル８と一体となるようになっている。この液受入リード管２とポンプバレル８とは複数の水平補強材５を介して固定され一体化されており、側壁４と複数の水平補強材９を介して固定されている。この液受入リード管２及びポンプバレル８は共に低温貯蔵タンク１の底部の底板１０の近傍まで延出されており、液受入リード管２の下端部には、受入液を低温貯蔵タンク１内の貯蔵液６内に放出する放出ノズル７が形成され、ポンプバレル８の下端部には、貯蔵液６の吸込口８ａが形成されている。
【００１８】
さて、本発明に係る低温貯蔵タンクの液受入リード管の振動防止構造は液受入リード管２の下端部に特長を有するもので、その下端部に抵抗体１１を形成したものである。
【００１９】
図１は、本発明に係る低温貯蔵タンクの液受入リード管の振動防止構造の第一の実施の形態を示した要部拡大断面図である。図示するように、放出ノズル７の上部の液受入リード管２内に、落下する受入液を規制する抵抗体１１として、長手方向に沿って所定の長さを有した断面十字状（図１（ｂ）参照）の十字板１２が挿入され固定されている。この十字板１２の下端部は、放出ノズル７の上面から所定の間隔を明けた高さに位置している。
【００２０】
なお、この抵抗体１１としては、受入液が通過してその抵抗となる形状であれば十字板１２に限らず一枚の平板や、平板を複数重ねたり交差させたものであってもよい。
【００２１】
次に、第一の参考の実施の形態を説明する。図２に示すように、放出ノズル７の上部の液受入リード管２内に、落下する受入液を規制する抵抗体１１として、受入液がねじれながら降下するように、液受入リード管２の長手方向に沿ってその内部が螺旋状に形成されたねじり板１３が挿入されて固定されている。
【００２２】
また、第二の参考の実施の形態としては、図３に示すように、放出ノズル７の上部の液受入リード管２の下部が、放出ノズル７側に向かって縮径するテーパ部１４を有するテーパ管１５で形成されている。
【００２３】
なお、上記実施の形態においては、放出ノズル７は逆Ｔ字状に形成されているが、Ｌ字状の放出ノズルにも対応できる。
【００２４】
ここで、上述の第一の実施の形態、第一及び第二の参考の実施の形態の作用について説明する。
【００２５】
低温貯蔵タンク１内の貯蔵液６の液面レベルが低いときに受入液の受入れを行うに際して、受入液を液受入リード管２の上部に接続された配管（図示せず）を介して、液受入リード管２に送り込む。このとき落下した受入液は、抵抗体１１に落下速度を規制され減速される。そして、抵抗体１１により受入液が抵抗体１１の上部で徐々に溜まっていき液受入リード管２内の受入液の液面レベルが高くなり、受入液の落下距離が小さくなりその落下速度が減少するので、受入液の動圧が小さくなる。従って、放出ノズル７に発生する振動を可及的に小さくすることができ、ポンプバレル８や水平補強材５，９に振動が伝わるのを防止できる。
【００２６】
次に、第三の参考の実施の形態について説明する。
【００２７】
上述の第一の実施の形態、第一及び第二の参考の実施の形態においては、液受入リード管２内に抵抗体１１を設け、受入液の落下速度を減少させて、振動を小さくするようにしたが、本実施の形態においては、液受入リード管２の下方に、液放出筒体１６を形成し、これらを構造的に切り離したことに特徴を有する。
【００２８】
図４（ａ）に示すように、液受入リード管２は、その下端部が低温貯蔵タンク１の底板１０から所定の高さＬ１を隔てて上方に位置して開放されて形成されている。その下方の低温貯蔵タンク１の底板１０ａ上に受入液を放出する放出口１７（図４（ｂ）及び（ｃ）に記入）が外周に形成された液放出筒体１６が固定板２０を介して固定されている。液放出筒体１６は、所定の高さＬ１よりも長い高さＬ２を有しており、その上端部は液受入リード管２の下端部を（Ｌ２−Ｌ１）の高さで囲繞して収納している。この部分は構造的に切り離されており、液放出筒体１６に発生する振動が液受入リード管２に伝達されないように構成されている。
【００２９】
液放出筒体１６に形成される放出口１７は、図４（ｂ）及び（ｃ）に示すように、液放出筒体１６の外周側面に横方向に筒状に形成された筒状放出口１８や、液放出筒体１６の外周側面に縦方向のスリットを多数形成したスリット状放出口１９が考えられる。
【００３０】
第三の参考の実施の形態の作用について述べる。
【００３１】
低温貯蔵タンク１内の貯蔵液６の液面レベルが低いときに受入液の受入れを行うに際して、受入液を液受入リード管２の上部に接続された配管（図示せず）を介して、液受入リード管２に送り込む。そして、受入液が液受入リード管２内の液面まで落下して、液受入リード管２の下方の液放出筒体１６に受けられる。液受入リード管２は、その下端が開放されているのでスラスト力がかからず振動が生じない。さらに、液放出筒体１６は液受入リード管２と構造的に切り離されているので、液受入リード管２に液放出筒体１６の振動が伝わらず、また、液放出筒体１６は、液受入リード管２の下端部を収納するように構成されているので、液放出筒体１６内の受入液が、受入液落下時の緩衝材となり、受入液の動圧を小さく抑えることができる。
【００３２】
【発明の効果】
以上要するに本発明によれば、液受入リード管の振動を可及的に低減若しくは防止することにより、液受入リード管の耐久性を向上させることができるという優れた効果を発揮する。
【図面の簡単な説明】
【図１】  本発明に係る低温貯蔵タンクの液受入リード管の振動防止構造の第一の実施の形態を示した要部拡大断面図である。
【図２】  本発明に係る低温貯蔵タンクの液受入リード管の振動防止構造の第一の参考の実施の形態を示した要部拡大断面図である。
【図３】  本発明に係る低温貯蔵タンクの液受入リード管の振動防止構造の第二の参考の実施の形態を示した要部拡大断面図である。
【図４】  （ａ）は本発明に係る低温貯蔵タンクの液受入リード管の振動防止構造の第三の参考の実施の形態を示した要部拡大断面図、（ｂ）及び（ｃ）はその斜視図である。
【図５】  低温貯蔵タンクの液受入リード管を示した側面図である。
【図６】  従来の液受入リード管の放出ノズルを示した拡大断面図である。
【符号の説明】
１  低温貯蔵タンク
２  液受入リード管
３  屋根
７  放出ノズル
１１  抵抗体
１２  十字板
【図１】
0003724073.tif 000002
【図２】
0003724073.tif 000003
【図３】
0003724073.tif 000004
【図４】
0003724073.tif 000005
【図５】
0003724073.tif 000006
【図６】
0003724073.tif 000007